(57)【特許請求の範囲】
【請求項１】
複数の入力端子を持つ入力端子群と、この入力端子群の信号状態を読み取る入力端子入力手段と、この入力端子入力手段から得た情報を設定に従って入力信号に割り付ける入力信号割付け手段と、各種データを表示する表示手段と、この表示手段に表示する表示画面の選択、各種データの設定、運転・停止等の操作、などをする設定手段と、この設定手段または前記入力信号割付け手段から得た情報に基づいて、制御を行うインバータ制御手段と、各種データを記憶する記憶手段と、複数の出力端子を持つ出力端子群と、前記インバータ制御手段で作成される各種出力信号を設定に従って出力端子に割り付ける出力信号割付け手段と、この出力信号割付け手段で作成された情報を前記出力端子群に出力する出力端子出力手段と、を有し、前記表示手段に前記入力端子または前記出力端子と、この入力端子または出力端子に割り付けられた入力信号名称または出力信号名称と、信号状態とを同時に表示するようにしたインバータ装置において、
信号名称が割り付けられている端子と信号名称が割り付けられていない端子とを識別表示するようにしたことを特徴とするインバータ装置。
【請求項２】
複数の入力端子を持つ入力端子群と、この入力端子群の信号状態を読み取る入力端子入力手段と、この入力端子入力手段から得た情報を設定に従って入力信号に割り付ける入力信号割付け手段と、各種データを表示する表示手段と、この表示手段に表示する表示画面の選択、各種データの設定、運転・停止等の操作、などをする設定手段と、この設定手段または前記入力信号割付け手段から得た情報に基づいて、制御を行うインバータ制御手段と、各種データを記憶する記憶手段と、複数の出力端子を持つ出力端子群と、前記インバータ制御手段で作成される各種出力信号を設定に従って出力端子に割り付ける出力信号割付け手段と、この出力信号割付け手段で作成された情報を前記出力端子群に出力する出力端子出力手段と、を有し、前記表示手段に前記入力端子または前記出力端子と、この入力端子または出力端子に割り付けられた入力信号名称または出力信号名称と、信号状態とを同時に表示するようにしたインバータ装置において、
前記表示手段に、指定した信号状態と同一の信号状態にある信号を表示するようにしたことを特徴とするインバータ装置。
【請求項３】
複数の入力端子を持つ入力端子群と、この入力端子群の信号状態を読み取る入力端子入力手段と、この入力端子入力手段から得た情報を設定に従って入力信号に割り付ける入力信号割付け手段と、各種データを表示する表示手段と、この表示手段に表示する表示画面の選択、各種データの設定、運転・停止等の操作、などをする設定手段と、この設定手段または前記入力信号割付け手段から得た情報に基づいて、制御を行うインバータ制御手段と、各種データを記憶する記憶手段と、複数の出力端子を持つ出力端子群と、前記インバータ制御手段で作成される各種出力信号を設定に従って出力端子に割り付ける出力信号割付け手段と、この出力信号割付け手段で作成された情報を前記出力端子群に出力する出力端子出力手段と、を有し、前記表示手段に前記入力端子または前記出力端子と、この入力端子または出力端子に割り付けられた入力信号名称または出力信号名称と、信号状態とを同時に表示するようにしたインバータ装置において、
前記設定手段は、前記入力信号または前記出力信号の仮想信号状態の設定をできるようにし、また、前記入力信号割付け手段は前記設定手段で設定された入力信号を仮想信号状態に上書きするようにし、また、前記出力信号割付け手段は前記設定手段で設定された出力信号を仮想信号状態に上書きするようにしたことを特徴とするインバータ装置。
【請求項４】
不揮発性メモリを備え、前記インバータ制御手段は、前記入力信号割付け手段に上書きされた入力信号の仮想信号状態および前記出力信号割付け手段に上書きされた出力信号の仮想信号状態を前記不揮発性メモリに記憶するようにしたことを特徴とする請求項３記載のインバータ装置。
【発明の詳細な説明】
【０００１】
【発明の属する技術分野】
本発明は、インバータ装置に関わり、特にインバータ装置のパラメータ設定、状態表示に関するものである。
【０００２】
【従来の技術】
インバータ装置には、インバータ装置を運転するために必要な入力信号および出力信号用の各種端子が設けられている。
図１４は、従来のインバータ装置のパラメータ設定、状態表示に使用されるパラメータ設定・表示ユニットに表示される入力端子群の信号名称の表示例である。
図において、ＳＴＦは正転始動、ＳＴＲは逆転始動、ＡＵは電力入力選択、ＲＴは第２加減速時間、ＲＬ，ＲＭ，ＲＨは多段速度選択、Ｊ／ＯはＪＯＧモード／外部サーマル、ＭＲＳは出力停止、ＳＴＰは始動自己保持選択、ＲＥＳはリセット、を意味する。また、英字の前の枠は選択の有無を表し、図はＳＴＦ（正転始動）、ＲＴ（第２加減速時間）、ＲＭ（多段速度選択）が選択されている（ＯＮの状態）例を示す。
また、出力端子群の表示については同様であるので、その説明を省略する。
【０００３】
【発明が解決しようとする課題】
上述のような従来のインバータ装置のパラメータ設定・表示ユニットにおいては、入力端子および出力端子に割り付けられている信号名称のみを表示していたので、表示画面において該当信号のＯＮ／ＯＦＦの状態は分かるが、該当信号に対応する端子については別途取扱説明書などで確認しなければならないという問題点があった。
【０００４】
また、パラメータ設定・表示ユニットの表示画面の画面構成が固定であったため、入力端子または出力端子の信号状態を確認する場合、複数画面にわたることがあり、ページを切り替え確認しなければならないという問題点があった。
【０００５】
さらに、従来のインバータ装置においては、入力端子および出力端子の端子の割り付けは予め決められており、他の目的に使用できなかった。
また、インバータ装置への入出力制御を変更して、各種端子（入力端子群および出力端子群）の一部の割り付けを変更して使用した場合、パラメータ設定・表示ユニットの表示は変更できないため、表示画面において該当信号のＯＮ／ＯＦＦの状態は分かるが、各端子が何の信号に割り付けられているかが分からないという問題点があった。
【０００６】
さらにまた、パラメータ設定・表示ユニットの表示画面の画面構成が固定であったため、複数画面ページを切り替えて該当信号を表示する画面を捜さねばならないという問題点があった。
また、インバータ装置で制御で使用する信号名称は入力端子数および出力端子数よりも多く、必ずしも端子に割り付けられていないが、端子に割り付けられていない信号名称の信号状態は確認できないという問題点があった。
【０００７】
また、同一の信号状態にある信号名称を確認する場合に、複数画面ページを切り替えなければ確認できないという問題点があった。
【０００８】
さらに、インバータ装置の動作試験をする場合、またインバータ装置に接続される周辺装置の動作試験をする場合、実際に運転環境を構築しなければならないという問題点があった。
例えば、入力信号としてＯＮあるいはＯＦＦを与えた場合のインバータ装置の動作を確認するためには、各入力端子にそれぞれ入力信号を割り付け、外部に信号入力するためのシーケンスを組み、それぞれの入力端子に指令を入力する必要があった。また、ユーザがインバータ装置の周辺のシーケンスを組む場合、インバータ装置の出力端子に接続された回路が正常に動作することを確認するためには、各出力端子がＯＮあるいはＯＦＦとなるようなインバータ装置の状態を作り出すか、あるいはインバータ装置の代わりに別の装置と置き換えて試験する必要があった。
さらにまた、複数のインバータ装置の動作試験をする場合、またインバータ装置に接続される周辺装置の動作試験をする場合、複数のインバータ装置毎に毎回上述の確認をしなければならないという問題点があった。
【０００９】
この発明は、上述のような課題を解決するためになされたもので、第１の目的は、入力端子または出力端子に割り付けられている信号名称と、入力端子または出力端子に割り付けられていない信号名称と、を識別表示できるインバータ装置を得るものである。
【００１３】
また、第２の目的は、同一の信号状態にある信号を表示できるインバータ装置を得るものである。
【００１４】
さらに、第３の目的は、実際に運転環境を構築しなくとも、インバータ装置の動作試験、またはインバータ装置に接続される周辺装置の動作試験することができるインバータ装置を得るものである。
【００１５】
【課題を解決するための手段】
この発明のインバータ装置は、複数の入力端子を持つ入力端子群と、この入力端子群の信号状態を読み取る入力端子入力手段と、この入力端子入力手段から得た情報を設定に従って入力信号に割り付ける入力信号割付け手段と、各種データを表示する表示手段と、この表示手段に表示する表示画面の選択、各種データの設定、運転・停止等の操作、などをする設定手段と、この設定手段または前記入力信号割付け手段から得た情報に基づいて、制御を行うインバータ制御手段と、各種データを記憶する記憶手段と、複数の出力端子を持つ出力端子群と、前記インバータ制御手段で作成される各種出力信号を設定に従って出力端子に割り付ける出力信号割付け手段と、この出力信号割付け手段で作成された情報を前記出力端子群に出力する出力端子出力手段と、を有し、表示手段に入力端子または出力端子と、この入力端子または出力端子に割り付けられた入力信号名称または出力信号名称と、信号状態とを同時に表示するようにしたインバータ装置において、入力端子または出力端子と、この入力端子または出力端子に割り付けられた入力信号名称または出力信号名称と、信号状態とを同時に表示するようにしたものである。
【００１９】
また、表示手段に、入力端子または出力端子と、この入力端子または出力端子に割り付けられた入力信号名称または出力信号名称と、信号状態とを同時に表示する場合に、指定した信号状態と同一の信号状態にある信号を表示するようにしたものである。
【００２０】
さらに、設定手段は、入力信号または出力信号の仮想信号状態の設定をできるようにし、また、入力信号割付け手段は設定手段で設定された入力信号を仮想信号状態に上書きするようにし、また、出力信号割付け手段は設定手段で設定された出力信号を仮想信号状態に上書きするようにしたものである。
【００２１】
さらにまた、インバータ制御手段は、入力信号割付け手段に上書きされた入力信号の仮想信号状態および出力信号割付け手段に上書きされた出力信号の仮想信号状態を記憶手段に記憶するようにしたものである。
【００２２】
【発明の実施の形態】
実施の形態１．
図１はこの発明の一実施の形態であるインバータ装置の構成を示すブロック図である。図において、１はインバータ装置、２はインバータ主回路、３はインバータ制御回路、４はパラメータ設定・表示ユニットである。
【００２３】
インバータ主回路２において、１１は交流電力を直流電力に変換するコンバータ部、１２は直流電圧を平滑するコンデンサ、１３は直流電力を交流電力に変換するトランジスタとダイオードによって構成されるインバータ部である。
【００２４】
インバータ制御回路３は、外部とのインターフェイスを持ち、インバータ部１３のトランジスタ（図示せず）を制御するものであり、Ｘ１からＸｎまで複数の入力端子を持つ入力端子群２１と、Ｙ１からＹｎまで複数の出力端子を持つ出力端子群２２と、各種データを記憶する記憶手段としての不揮発性メモリ２３と、マイクロコンピュータ（以下、ＣＰＵと記す）３０と、を有する。
【００２５】
ＣＰＵ３０において、３１は入力端子群２１のＯＮ／ＯＦＦの信号を読み取る入力端子入力手段、３２は入力端子入力手段３１から得た情報を入力端子群２１の現在の設定に従って入力信号に割り付ける入力信号割付け手段、３３は不揮発性メモリ２３のデータを読出し、書込みするためのメモリ交信手段、３４はパラメータ設定・表示ユニット４と交信するパラメータ設定・表示ユニット交信手段である。
３５は、入力信号割付け手段３２、メモリ交信手段３３およびパラメータ設定・表示ユニット交信手段３４から得た情報に基づいて、インバータ部１３の制御を行うインバータ制御手段である。また、インバータ制御手段３５は、入力端子および出力端子のモニタ表示するべきページの情報を管理しており、出荷時にはデフォルト値が記憶されている。
３６は、インバータ制御手段３５で作成される各種信号のＯＮ／ＯＦＦの情報を受けて、出力端子群２２の現在の設定に従って出力端子に割り付ける出力信号割付け手段、３７は、出力信号割付け手段３６で作成された情報を出力端子群２２に出力する出力端子出力手段である。
【００２６】
パラメータ設定・表示ユニット４は、パラメータ設定・表示ユニット交信手段３４を介して、インバータ装置１のパラメータ設定を行ったり、インバータ装置の出力周波数や、入力端子、出力端子等のデータ表示を行ったりするもので、４１は各種データを表示するための表示手段としての表示部、４２は表示部４１に表示する表示画面の選択、パラメータの設定、およびインバータ装置の運転・停止等の操作を行うための設定手段としてのキー群である。
【００２７】
次に動作について説明する。
電源（図示せず）からインバータ装置１に電圧が供給されると、ＣＰＵ３０のインバータ制御手段３５は、不揮発性メモリ２３のデータを読み取り、該当するパラメータの情報に基づき、入力端子群２１の各入力端子を何の信号として用いるかの割り付け、および出力端子群２３の各出力端子をどの端子に出力するかの割り付けを行う。
【００２８】
入力信号および出力信号の割付けは、該当のパラメータが変更されるまで継続され、パラメータの変更があった場合に、割り付けの変更を行う。
パラメータの設定は、パラメータ設定・表示ユニット４のキー群４２の操作によって行う。
【００２９】
また、インバータ制御手段３５は、入力端子入力手段３１にて入力端子群２１の状態を随時読み込み、例えば、入力信号割付け手段３２によって起動指令に割り付けられている入力端子にＯＮの入力がなされたことを検知すると、適切な出力周波数及び出力電圧を算出し、それに応じて制御信号をインバータ部１３に出力する。
インバータ部１３はその制御信号に基づいて、トランジスタ（図示せず）のスイッチングを行い、電圧及び周波数を出力する。
【００３０】
また、インバータ制御手段３５は種々のデータを作成しており、インバータ装置１の状態を外部に出力するためのデータは、出力信号割付け手段３６で決定される割り付けに従って、出力端子出力手段３７によって出力端子群２２の状態を更新するとともに、パラメータ設定・表示ユニット交信手段３４を介して、パラメータ設定・表示ユニット４に出力される。
【００３１】
図２はこの発明の一実施の形態であるインバータ装置のパラメータ設定・表示ユニットの詳細図である。図において、キー群４２としては、モニタ、設定、外部、ＰＵ、ヘルプ、など表示画面を選択するキー、モニタ画面の表示を次ページに切り替えるためのシフトキー６１、データの読み出し等に使用する読出キー６２、データの書き込み等に使用する書込キー６３、画面上のカーソルを移動するのに用いる上下の矢印キー６４、０〜９の数字キー、データをクリアするクリアキー、正転、逆転、停止、などインバータ装置１の運転／停止に使用するキー、などがある。
【００３２】
図３はこの発明の一実施の形態である入力端子モニタの画面を示す図、また、図４はこの発明の一実施の形態である出力端子モニタの画面を示す図である。
図では、入力端子または出力端子としての端子名と、この入力端子または出力端子に割り付けられた入力信号名称または出力信号名称としての信号名、信号状態としてのＯＮ／ＯＦＦの状態を表示部４１に同時に表示するとともに、次画面がある場合は、（シフト）と表示する例を示した。
また、どの端子にも割り付けられていない出力信号については、端子名の項を“−”表示とする例を示した。
【００３３】
次に、パラメータ設定・表示ユニット４の表示部４１に端子モニタを表示する処理について説明する。
オペレータがパラメータ設定・表示ユニット４にて、端子モニタ（入力端子モニタもしくは出力端子モニタ）を選択した場合、パラメータ設定・表示ユニット４から、端子モニタ情報読出要求（入力端子モニタ情報読出要求もしくは出力端子モニタ情報読出要求）が、インバータ制御回路３に出力される。
【００３４】
インバータ制御回路３において、パラメータ設定・表示ユニット交信手段３４に端子モニタ情報読出要求が入力されると、インバータ制御手段３５で端子モニタ情報読出要求に従い下記の処理をする。
入力端子モニタ情報読出が要求された場合は、入力端子入力手段３１より読み出した入力端子群２１のＯＮ／ＯＦＦの状態と、入力信号割付手段３２にて割り付けられている情報とを、パラメータ設定・表示ユニット交信手段３４を介して、入力端子ＯＮ／ＯＦＦ状態及び入力信号割付情報としてパラメータ設定・表示ユニット４に出力する。
また、出力端子モニタ情報読出が要求された場合は、インバータ制御手段３５で作成される各種信号のＯＮ／ＯＦＦの情報と、出力信号割付手段３６にて割り付けられている情報とを、パラメータ設定・表示ユニット交信手段３４を介して、出力信号のＯＮ／ＯＦＦ状態及び出力信号割付情報としてパラメータ設定・表示ユニット４に出力する。
【００３５】
パラメータ設定・表示ユニット４は、インバータ制御回路３から出力された入力端子ＯＮ／ＯＦＦ状態及び入力信号割付情報、もしくは出力信号のＯＮ／ＯＦＦ状態及び出力信号割付情報に基づき、図３に示す入力端子モニタの画面もしくは図４に示す出力端子モニタの画面を表示部４１に表示する。
パラメータ設定・表示ユニット４は、次画面のモニタ情報がある場合には、画面上に（シフト）と表示し次画面がある事をオペレータに知らせるとともに、シフトキー６１を押された時に次画面を表示する。
【００３６】
実施の形態２．
図５は、この発明の一実施の形態に係る端子モニタ画面編集時の画面を示す図、図６はこの発明の一実施の形態に係る「端子選択」画面を示す図である。図において、５１は編集位置を示すカーソルであり、カーソル５１はキー６４により移動可能である。
【００３７】
次に、端子モニタ画面の表示内容編集の処理について説明する。
パラメータ設定・表示ユニット４の表示部４１に端子モニタを表示した後、読出キー６２を押すと、図５に示すように“端子”の位置にカーソル５１が表示される。
“端子”の位置にカーソル５１を置いた状態で、再び読出キー６２を押すと、図６に示す入力端子一覧が表示される「端子選択」画面となる。オペレータはこの画面において、矢印キー６４によりカーソル５１を移動させ、任意の端子を選択し、読出キー６２を押す。
この任意の端子を選択し、読出キー６２を押すという操作を繰り返すことにより、一画面内に表示する端子あるいは信号を選択でき、端子モニタ画面の表示内容の編集ができる。
【００３８】
また、インバータ制御手段３５は、入力端子および出力端子の一画面でモニタ表示するべきページの情報を管理し、上述で選択された端子のページの情報を第一ページとして記憶し、その他の端子のページの情報は一画面内に収まるように繰り下げる処理を行う。従って、この操作を繰り返すことにより、任意に選択した端子が同一画面上に表示される。
【００３９】
実施の形態３．
図７はこの発明の一実施の形態に係る「信号割付」画面を示す図である。図において、５１は編集位置を示すカーソルであり、カーソル５１はキー６４により移動可能である。
【００４０】
次に、端子モニタ画面で端子と信号の割り付けを行う処理について説明する。「端子選択」画面において、矢印キー６４にてカーソル５１を移動させ、任意の端子を選択し、書込キー６３を押すと、図７に示す「信号割付」画面が表示される。
オペレータがこの画面において、矢印キー６４によりカーソル５１を移動させ、任意の信号を選択し、書込キー６３を押すと、インバータ制御回路３において、ＣＰＵ３０のインバータ制御手段３５は、入力信号割付け手段３２あるいは出力信号割付け手段３６で選択した端子に選択した信号を割り付け、この端子と信号の割り付けを、不揮発性メモリ２３に記憶する。
上述では入力信号の例を示したが、出力信号の場合も同様の操作、処理であり、その説明を省略する。
入力信号割付け手段３２は、入力端子の信号状態の出力時、設定手段で割付をした入力信号名称を付加するようにし、また、出力信号割付け手段３６は、出力信号の出力端子への出力時、設定手段で出力信号名称割付をした端子に出力信号を割り付ける。
【００４１】
実施の形態４．
図８および図９はこの発明の一実施の形態に係る信号名検索による表示画面を示す図である。次に、選択された信号名から割り付けられている端子名を検索し、表示を行う処理について説明する。
【００４２】
図３または図４の端子モニタ画面において、“信号”の位置にカーソル５１を置き、読出キー６２を押した場合、図７に示す「信号割付」画面が表示される。オペレータが「信号割付」画面において、矢印キー６４にてカーソル５１を移動させ、任意の信号を選択し、読出キー６２を押すと、インバータ制御回路３において、ＣＰＵ３０のインバータ制御手段３５は、パラメータ設定・表示ユニット交信手段３７を介して入力された信号名と、入力信号割付け手段３２あるいは出力信号割付け手段３６から得る各端子に割り付けられている信号とを比較し、一致した全ての端子名とそのＯＮ／ＯＦＦ状態とをパラメータ設定・表示ユニット４に返信する。
【００４３】
図８は、図７に示す「信号割付」画面で信号ＳＴＦを選択した場合の表示例であり、この図では信号ＳＴＦがＸ５およびＸ８に割り付けられている例を示したものである。また、図９は図７に示す「信号割付」画面で信号ＯＨを選択した場合の表示例であり、選択した信号がどの端子にも割り付けられていなければ、信号名とＯＮ／ＯＦＦの状態のみ表示し、端子名は“−”表示とする。
【００４４】
実施の形態５．
図１０はこの発明の一実施の形態に係る「ＯＮ／ＯＦＦ状態サーチ」画面を示す図、図１１はこの発明の一実施の形態に係るＯＮ／ＯＦＦ状態サーチによる表示画面を示す図である。次に、選択された信号状態（ＯＮ／ＯＦＦ）にある端子及び信号を検出し、表示を行う処理について説明する。
【００４５】
図３または図４の端子モニタ画面において、“状態”の位置にカーソル５１を置き、読出キー６２を押した場合、図１０に示す「ＯＮ／ＯＦＦ状態サーチ」画面が表示される。
オペレータがこの画面において、矢印キー６４にてカーソル５１を移動させ、ＯＮかＯＦＦかを選択し、読出キー６２を押すと、
インバータ制御回路３において、ＣＰＵ３０のインバータ制御手段３５は、入力信号の場合には全入力端子を、また出力信号の場合には全出力信号のＯＮ／ＯＦＦ状態の判定を行い、選択されている信号状態の端子及び信号をパラメータ設定・表示ユニット４に返信する。
図１１はＯＮ状態が選択された場合の表示例であり、この画面では端子Ｙ３に割り付けられている信号はＲＵＮがＯＮ状態であり、端子に割り付けられていない信号であるＦＵおよびＯＬがＯＮ状態であることを示す。また、画面上に（シフト）と表示し、他にＯＮ状態の信号がある（次画面がある）ことを示している。
【００４６】
実施の形態６．
図１２はこの発明の一実施の形態に係るＯＮ／ＯＦＦ状態設定モードによる表示画面を示す図である。次に、端子あるいは信号のＯＮ／ＯＦＦの状態を任意に変更する処理について説明する。
【００４７】
図３または図４の端子モニタ画面において、“状態”の位置にカーソル５１を置き、書込キー６３を押した場合、ＯＮ／ＯＦＦ状態設定モードとなり、端子名、信号名、ＯＮ／ＯＦＦ状態の項目が反転表示となる。このＯＮ／ＯＦＦ状態設定モードの表示においては、入力の場合には、端子に割り付けられていない信号も全て表示され、出力の場合には、出力端子と各々割り付けられた信号のみ表示される。
図１２は出力端子モニタの例で、端子Ｙ１に割り付けられている信号ＳＵの状態をＯＦＦからＯＮに変更する場合を示す。
【００４８】
オペレータはＯＮ／ＯＦＦ状態設定モードとした後、この画面において、矢印キー６４にてカーソル５１をＯＮ／ＯＦＦ状態を変更したい端子もしくは信号の状態の位置へ移動させ、読出キー６２を押して状態の表示がＯＦＦからＯＮに変える。ＯＮ／ＯＦＦ状態設定モードでは、読出キー６２を押す度に状態の表示はＯＮとＯＦＦとを交互に表示する。
【００４９】
ＯＮ／ＯＦＦ状態設定モードで書込キー６３が押されると、インバータ制御回路３において、ＣＰＵ３０の入力信号割付け手段３２あるいは出力信号割付け手段３６にて、選択された信号の状態が上書きされ、インバータ制御手段３５に入力される入力信号、もしくは出力端子出力手段３７及び出力端子群２２へ出力されるデータが選択した値となる。
【００５０】
上述のように、ＯＮ／ＯＦＦ状態設定モードで出力端子のＯＮ／ＯＦＦ状態を仮想信号状態として強制設定することができるので、必要とする出力信号のＯＮ／ＯＦＦ状態に関連する運転環境を実際に構築して運転しなくても、インバータ装置に接続される周辺装置の動作試験ができる。
【００５１】
また、入力端子モニタの画面の場合のＯＮ／ＯＦＦ状態設定モードも、出力端子モニタの画面の場合と仮想信号状態の設定は同様であり、端子あるいは信号のＯＮ／ＯＦＦの状態を任意に変更する処理についての説明は省略する。
ＯＮ／ＯＦＦ状態設定モードで、入力端子に入力される信号の状態を仮想的に作成することができるので、インバータ装置の入力端子に周辺装置を接続することなく、インバータ装置単体で動作試験が可能となる。
【００５２】
また、このＯＮ／ＯＦＦ状態設定モードの表示においては、入力の場合には端子に割り付けられていない信号も全て表示されるようにしたので、実際には入力端子に割り付けられていない入力信号の信号状態にＯＮあるいはＯＦＦを書込むことができ、必要とする入力信号のＯＮ／ＯＦＦ状態に関連する運転環境を実際に構築しなくても、インバータ装置単体で動作試験が可能となる。
【００５３】
実施の形態７．
図１３はこの発明の一実施の形態に係るＯＮ／ＯＦＦ「状態設定」画面を示す図である。次に、ＯＮ／ＯＦＦ状態設定モードにおいて変更した端子あるいは信号のＯＮ／ＯＦＦの状態を記憶する処理について説明する。
【００５４】
上述のＯＮ／ＯＦＦ状態設定モードにおいて、引き続きシフトキー６１にて画面を切り換え、図１３に示す「状態設定」画面を表示した状態で、書込キー６３が押されると、インバータ制御回路３において、ＣＰＵ３０のインバータ制御手段３５は現在の出力端子の状態を仮想信号状態として不揮発性メモリ２３に記憶する。
【００５５】
また、「状態設定」画面を表示した状態で、読出キー６２が押されると、インバータ制御回路３において、ＣＰＵ３０のインバータ制御手段３５は以前記憶した出力端子の状態を不揮発性メモリ２３から読み出し、出力信号割付け手段３４に出力する。出力信号割付け手段３４で不揮発性メモリ２３から読み出した信号の状態が上書きされ、出力端子出力手段３７を介して出力端子群２２に記憶した出力端子の状態が出力される。
【００５６】
ところで、上記説明では、インバータ主回路２とインバータ制御回路３とからなるインバータ装置１と、インバータ装置１のパラメータ設定、状態表示をするパラメータ設定・表示ユニット４とを、分離した例を示したが、パラメータ設定、状態表示をする手段をインバータ装置１に組み込んでも同様の効果が得られる。
【００５７】
【発明の効果】
この発明は、以上説明したように構成されているので、以下に示すような効果を奏する。
【００５８】
この発明のインバータ装置は、複数の入力端子を持つ入力端子群と、この入力端子群の信号状態を読み取る入力端子入力手段と、この入力端子入力手段から得た情報を設定に従って入力信号に割り付ける入力信号割付け手段と、各種データを表示する表示手段と、この表示手段に表示する表示画面の選択、各種データの設定、運転・停止等の操作、などをする設定手段と、この設定手段または前記入力信号割付け手段から得た情報に基づいて、制御を行うインバータ制御手段と、各種データを記憶する記憶手段と、複数の出力端子を持つ出力端子群と、前記インバータ制御手段で作成される各種出力信号を設定に従って出力端子に割り付ける出力信号割付け手段と、この出力信号割付け手段で作成された情報を前記出力端子群に出力する出力端子出力手段と、を有し、表示手段に入力端子または出力端子と、この入力端子または出力端子に割り付けられた入力信号名称または出力信号名称と、信号状態とを同時に表示するようにしたインバータ装置において、入力端子または出力端子と、この入力端子または出力端子に割り付けられた入力信号名称または出力信号名称と、信号状態とを同時に表示するようにしたので、端子に割り付けられていない信号名称の信号状態を確認できる。
【００６２】
また、表示手段に、入力端子または出力端子と、この入力端子または出力端子に割り付けられた入力信号名称または出力信号名称と、信号状態とを同時に表示する場合に、指定した信号状態と同一の信号状態にある信号を表示するようにしたので、
同一の信号状態にある信号名称の確認が容易にできる。
【００６３】
さらに、設定手段は、入力信号または出力信号の仮想信号状態の設定をできるようにし、また、入力信号割付け手段は設定手段で設定された入力信号を仮想信号状態に上書きするようにし、また、出力信号割付け手段は設定手段で設定された出力信号を仮想信号状態に上書きするようにしたので、
インバータ装置の動作試験をする場合、またインバータ装置に接続される周辺装置の動作試験をする場合、実際に運転環境を構築しなくとも確認できる。
【００６４】
さらにまた、インバータ制御手段は、入力信号割付け手段に上書きされた入力信号の仮想信号状態および出力信号割付け手段に上書きされた出力信号の仮想信号状態を記憶手段に記憶するようにしたので、
複数のインバータ装置の動作試験をする場合、またインバータ装置に接続される周辺装置の動作試験をする場合、複数のインバータ装置毎に毎回同様の作業を繰り返さなくとも確認できる。
【図面の簡単な説明】
【図１】この発明の一実施の形態であるインバータ装置の構成を示すブロック図である。
【図２】この発明の一実施の形態であるインバータ装置のパラメータ設定・表示ユニットの詳細図である。
【図３】この発明の一実施の形態である入力端子モニタの画面を示す図である。
【図４】この発明の一実施の形態である出力端子モニタの画面を示す図である。
【図５】この発明の一実施の形態に係る端子モニタ画面編集時の画面を示す図である。
【図６】この発明の一実施の形態に係る「端子選択」画面を示す図である。
【図７】この発明の一実施の形態に係る「信号割付」画面を示す図である。
【図８】この発明の一実施の形態に係る信号名検索による表示画面を示す図である。
【図９】この発明の一実施の形態に係る信号名検索による表示画面を示す図である。
【図１０】この発明の一実施の形態に係る「ＯＮ／ＯＦＦ状態サーチ」画面を示す図である。
【図１１】この発明の一実施の形態に係るＯＮ／ＯＦＦ状態サーチによる表示画面を示す図である。
【図１２】この発明の一実施の形態に係るＯＮ／ＯＦＦ状態設定モードによる表示画面を示す図である。
【図１３】この発明の一実施の形態に係るＯＮ／ＯＦＦ「状態設定」画面を示す図である。
【図１４】従来のインバータ装置のパラメータ設定、状態表示に使用されるパラメータ設定・表示ユニットに表示される入力端子群の信号名称の表示例である。
【符号の説明】
１  インバータ装置、  ２  インバータ主回路、  ３  インバータ制御回路、４  パラメータ設定・表示ユニット、  １１  コンバータ部、  １２  コンデンサ、  １３  インバータ部、  ２１  入力端子群、  ２２  出力端子群、  ２３  不揮発性メモリ、  ３０  ＣＰＵ、  ３１  入力端子入力手段、  ３２  入力信号割付け手段、  ３３  出力端子出力手段、  ３４  出力信号割付け手段、３５  インバータ制御手段、  ３６  メモリ交信手段、  ３７  パラメータ設定・表示ユニット交信手段、  ４１  表示部、  ４２  キー群、  ６１  シフトキー、  ６２  読出キー、  ６３  書込キー、  ６４  矢印キー。
【図１】
0003562202.tif 000002
【図２】
0003562202.tif 000003
【図３】
0003562202.tif 000004
【図４】
0003562202.tif 000005
【図５】
0003562202.tif 000006
【図６】
0003562202.tif 000007
【図７】
0003562202.tif 000008
【図８】
0003562202.tif 000009
【図９】
0003562202.tif 000010
【図１０】
0003562202.tif 000011
【図１１】
0003562202.tif 000012
【図１２】
0003562202.tif 000013
【図１３】
0003562202.tif 000014
【図１４】
0003562202.tif 000015